(57)【要約】【課題】集合住宅等の建物の、オートロック式のドアを備えたエントランスにおいて入居者等のふりをしてセキュリティを突破する「なりすまし」行為を効果的に抑制可能なセキュリティシステムを提供する。【解決手段】オートロック式のドアを入口専用ドア10と出口専用ドア30とに分けて併設しし、入口専用ドア10の手前側の両側に仕切り20を設けて、入口専用ドア10へ向かう人の動線を制限する進入通路21を形成するとともに、該進入通路21の、入口専用ドア10から距離を隔てた手前側にオートロック解錠装置24を設けて、オートロック解錠装置24と入口専用ドア10との間に、同伴者をプール可能でかつ横方向から人が侵入できないゲートインスペース22を設ける。出口専用ドア30を出た側の両側に仕切り40を設けて、出口専用ドア30から出た人の動線を制限する退出通路41を形成する。【選択図】  図１
2006134256.tif 000002
【特許請求の範囲】
【請求項１】
オートロック式のドアを備えたエントランスに設置されるセキュリティシステムであって、
前記ドアを入口専用ドアと出口専用ドアとに分けて併設し、
入口専用ドアの手前側の両側に仕切りを設けて、入口専用ドアへ向かう人の動線を制限する進入通路を形成するとともに、該進入通路の、前記入口専用ドアから距離を隔てた手前側にオートロック解錠装置を設けて、オートロック解錠装置と入口専用ドアとの間に、同伴者をプール可能でかつ横方向から人が侵入できないゲートインスペースを設け、
出口専用ドアを出た側の両側に仕切りを設けて、出口専用ドアから出た人の動線を制限する退出通路を形成した、
セキュリティシステム。
【請求項２】
前記ゲートインスペースは少なくとも同伴者複数人が立てる広さに形成されている、請求項１に記載のセキュリティシステム。
【請求項３】
前記進入通路の、前記オートロック解錠装置と前記進入通路の入口との間に、前記オートロック解錠装置を操作するキーマスター一人が立てる広さの操作スペースが形成されている、請求項２に記載のセキュリティシステム。
【請求項４】
カメラ付きインターホンが前記オートロック解錠装置に併設されている、請求項１〜３のいずれかに記載のセキュリティシステム。
【請求項５】
前記進入通路にいるキーマスターの後ろに追従して前記進入通路へ人が入るのを防ぐ追従防止手段を備えた、請求項１〜４のいずれかに記載のセキュリティシステム。
【請求項６】
前記追従防止手段は、前記進入通路の入口に設けたセンサーと、警報発生手段とを備えてなり、前記センサーは、キーマスターが前記オートロック解錠装置を操作開始した後に作動し、前記警報発生手段は、キーマスターが前記オートロック解錠装置を操作開始した後、前記入口専用ドアを通過する前に、前記センサーが前記進入通路へ入る追従者を感知した際に警報を発する、請求項５に記載のセキュリティシステム。
【発明の詳細な説明】
【技術分野】
【０００１】
本発明は、集合住宅等の建物の、オートロック式のドアを備えたエントランスに設置されるセキュリティシステムに関する。
【背景技術】
【０００２】
従来、集合住宅等に使用されているエントランスセキュリティシステムとして、インターホン設備と連動したオートロックシステムが知られている。例えば、特開平６−３３９１４４号公報には、「共同玄関の電気錠の施解錠操作と、各住戸への呼出し通話機能を備えたロビーインターホンの改良であって、ＬＣＤやプラズマディスプレイなどで構成された表示部１に、各部屋呼出スイッチ２ａ、管理人室呼出スイッチ２ｂ、玄関扉キー操作スイッチ２ｃ、各部屋への伝言スイッチ２ｄ、各部屋のコントロールスイッチ２ｅなどの実行可能な機能を選択実行するためのタッチパネル式のセレクタスイッチを組み込んだメニュー画面３Ａが表示され、メニュー画面３Ａに表示されたセレクタスイッチ２ａ〜２ｅのいずれかを操作したときには、タッチパネル式のセレクタスイッチを設けたタッチパネル表示操作画面１ａが、タッチ操作に応じて順次対話的に展開表示され、操作が出来るように構成されている」ロビーインターホンが記載されている。
従来の代表的なオートロックシステムでは、エントランスにおいて入居者等と来訪者を区別し、来訪者はエントランス脇に設けたインターホンで住戸かフロントを呼び出して解錠してもらう。また、入居者等に対しては、入居者のみに渡されるキーやカードを用いて解錠する方法、また指紋や虹彩等を利用するバイオメトリクス認証システムを用いて解錠する方法等が知られている。
しかし、一旦オートロックを解錠すると、セキュリティは一時的にフリーとなり、入居者等の横についたり、あるいは入居者等に追従すれば、オートロックのドアを簡単に通過することができてしまう。つまり、入居者等のふりをしてセキュリティを突破する「なりすまし」行為への対策として不十分な面がある。
また、建物内の人が外出する際にもオートロックのドアは解錠されるため、外出者を待ち伏せてオートロックを通過することが容易に行われてしまうという問題がある。
【０００３】
【特許文献１】特開平６−３３９１４４号公報
【発明の開示】
【発明が解決しようとする課題】
【０００４】
本発明は、上記従来技術における不都合を考慮してなされたものであり、集合住宅等の建物の、オートロック式のドアを備えたエントランスにおいて入居者等のふりをしてセキュリティを突破する「なりすまし」行為を効果的に抑制可能なセキュリティシステムを提供することを目的とする。
【課題を解決するための手段】
【０００５】
（１）請求項１に係る発明は、オートロック式のドアを備えたエントランスに設置されるセキュリティシステムであって、
前記ドアを入口専用ドアと出口専用ドアとに分けて併設し、
入口専用ドアの手前側の両側に仕切りを設けて、入口専用ドアへ向かう人の動線を制限する進入通路を形成するとともに、該進入通路の、前記入口専用ドアから距離を隔てた手前側にオートロック解錠装置を設けて、オートロック解錠装置と入口専用ドアとの間に、同伴者をプール可能でかつ横方向から人が侵入できないゲートインスペースを設け、
出口専用ドアを出た側の両側に仕切りを設けて、出口専用ドアから出た人の動線を制限する退出通路を形成した、
セキュリティシステムである。
（２）請求項２に係る発明は、前記ゲートインスペースは少なくとも同伴者複数人が立てる広さに形成されている、請求項１に記載のセキュリティシステムである。
（３）請求項３に係る発明は、前記進入通路の、前記オートロック解錠装置と前記進入通路の入口との間に、前記オートロック解錠装置を操作するキーマスター（キー所持者）一人が立てる広さの操作スペースが形成されている、請求項２に記載のセキュリティシステムである。なお、「オートロック解錠装置を操作する」とは、非接触型キーリーダーシステムにおいて、住戸等のキー（カードを含む。）をかざすことによりオートロックを解錠する行為を含む。
（４）請求項４に係る発明は、カメラ付きインターホンが前記オートロック解錠装置に併設されている、請求項１〜３のいずれかに記載のセキュリティシステムである。
（５）請求項５に係る発明は、前記進入通路にいるキーマスターの後ろに追従して前記進入通路へ人が入るのを防ぐ追従防止手段を備えた、請求項１〜４のいずれかに記載のセキュリティシステムである。
（６）請求項６に係る発明は、前記追従防止手段は、前記進入通路の入口に設けたセンサーと、警報発生手段とを備えてなり、前記センサーは、キーマスターが前記オートロック解錠装置を操作した後に作動し、前記警報発生手段は、キーマスターが前記オートロック解錠装置を操作した後、前記入口専用ドアを通過する前に、前記センサーが前記進入通路へ入る追従者を感知した際に警報を発する、請求項５に記載のセキュリティシステムである。
【発明の効果】
【０００６】
（１）請求項１に係る発明によれば、入口専用ドアから内部へ入るためには、両側が仕切りによって形成された進入通路を通過しなけらばならず、入口専用ドアへ向かう人の動線が進入通路を経由する動線にのみ制限され、入口専用ドアとオートロック解錠装置との間にセキュリティ上の専用空間が形成されることとなり、オートロックが解錠された際、入居者等の横について入ろうとしても仕切りによって阻止され、また入居者等に追従したり、後から割り込んだりすることは不審な挙動として顕在化するため、そのような行動も困難となり、「なりすまし」行為を効果的に抑制することができる。
また、出口専用ドアを出た側の両側に仕切りを設けて、出口専用ドアから出た人の動線を制限する退出通路を形成しているため、建物内の人が外出する際にオートロックのドアが解錠されるとき、外出者を待ち伏せてオートロックを通過しようとしても、そのような行動はいわば一方通行の道路を逆走するような不審な挙動として顕在化し、また退出者と鉢合せするため、そのような行動も困難となる。
また、進入通路の、入口専用ドアから距離を隔てた手前側にオートロック解錠装置を設けて、オートロック解錠装置と入口専用ドアとの間に、同伴者をプール可能でかつ横方向から人が侵入できないゲートインスペースを設けたため、キーマスターの同伴者については、キーマスターに先行させてゲートインスペースへ溜めておき、キーマスターがオートロック解錠装置を操作することにより、キーマスターと共に入口専用ドアから入ることができるため、キーマスターの他に認知された正当な人のみが入れることができ安全であり、しかも面倒でなく簡便である。ちなみに、駅の自動改札口は、そこを通過しようとするすべての人が切符等を所持することを前提とし、必要としているのに対し、本発明においては、認証を得られるキーマスター一人がいれば、他の同伴者はキーを持つ必要がなく、キーマスター管理のもとでオートロックを通過することができるので、融通性、実用性が高いものである。
（２）請求項２に係る発明によれば、ゲートインスペースは少なくとも同伴者複数人が立てる広さに形成されているため、複数人の同伴者がいる場合でも１回で通過でき、使用勝手に優れる。
（３）請求項３に係る発明によれば、進入通路の、オートロック解錠装置と進入通路の入口との間に、オートロック解錠装置を操作するキーマスター一人が立てる広さの操作スペースが形成されているため、両側に仕切りのある進入通路内の操作スペースにキーマスターが立つことにより、キーマスターが進入通路の入口（開口）の壁として作用するので、後から割り込む行動をより確実に防ぐことができる。
（４）請求項４に係る発明によれば、カメラ付きインターホンがオートロック解錠装置に併設されているため、来訪者のみの場合は、このカメラ付きインターホンを用いて住戸かフロントを呼び出して解錠してもらえばよいので、来訪者のみの場合にも入口専用ドアのみで対応することができ、来訪者用のドアを別途設ける必要がない。
（５）請求項５に係る発明によれば、進入通路にいるキーマスターの後ろに追従して進入通路へ人が入るのを防ぐ追従防止手段を備えたため、追従行為を確実に排除することができる。
（６）請求項６に係る発明によれば、追従防止手段は、前記進入通路の入口に設けたセンサーと、警報発生手段とを備えてなり、前記センサーは、キーマスターが前記オートロック解錠装置を操作開始した後に作動し、前記警報発生手段は、キーマスターが前記オートロック解錠装置を操作開始した後、前記入口専用ドアを通過する前に、前記センサーが前記進入通路へ入る追従者を感知した際に警報を発する構成により、追従行為を確実に排除することができる。
【発明を実施するための最良の形態】
【０００７】
本発明の好ましい実施の形態について実施例を挙げ、図面を参照して説明する。なお、各図において同じ要素には同じ符号を用い、適宜その説明を省略する場合がある。
【実施例１】
【０００８】
図１は実施例１のセキュリティシステムを模式的に示す平面図、図２，３は同実施例の使われ方を模式的に示す平面図、図４は実施例１の変形例を模式的に示す平面図、図５は実施例２のセキュリティシステムを模式的に示す平面図である。
【０００９】
図示のセキュリティシステムは、集合住宅の風除室と、この風除室と区画された建物の内部との境界に設置した例を示す。区画された風除室と内部との境界には、オートロック式のドアが、入口専用ドア１０と出口専用ドア３０とに分けた形で並べて併設されている。もっとも本発明に係るセキュリティシステムは、風除室とその内部との境界に設置する場合に限られるものではなく、区画された領域間にオートロック式のドアを備えた各種エントランスに設置することができるものである。
図１に示すように、入口専用ドア１０の手前側（進入側）の両側には仕切り２０，２０が設けられている。出口専用ドア３０を出た側の両側にも仕切り４０，４０が設けられている（一方の仕切り４０は入口専用ドア１０の片側の仕切り２０と兼用されている）。
符号７０はエントランスを監視する防犯カメラである。
【００１０】
入口専用ドア１０の手前側の両側に設けた仕切り２０，２０は、入口専用ドア１０へ向かう人の動線を制限する進入通路２１を形成している。すなわち、対向して設けられた仕切り２０，２０に挟まれて形成される領域２１（幅Ｗ１、長さＬ１）が入口専用ドア１０への進入通路となり、人は、この進入通路２１を通らないと入口専用ドア１０に到達することができないようになっている。
仕切り２０，２０は、人が容易に跨ぐことのできない高さに形成される。通常、腰くらいの高さがあればよい。仕切り２０，２０の材質は限定されない。網状体等、透けて見えるものを用いてもよい。
対向して設けられた仕切り２０，２０に挟まれて形成される領域２１は、通常、細長い帯状（矩形）であるが、限定されるものではなく、例えば、図４に示すような変形が可能である（後述）。
図１に示す、対向して設けられた仕切り２０，２０に挟まれて形成される矩形の領域２１では、例えば、幅Ｗ１は９０ｃｍ〜１．２ｍ程度であり、車椅子が楽に通行可能なように１ｍ程度はあるとよい。長さＬ１は、後述するゲートインスペース２２と操作スペース２６を含めて、通常、１．５〜２．５ｍ程度の長さに形成される。
【００１１】
進入通路２１の、入口専用ドア１０から距離Ｌ２を隔てた手前側にオートロック解錠装置２４を設けて、オートロック解錠装置２４と入口専用ドア１０との間に、オートロック解錠装置２４を操作する者の同伴者６０，６０をプール可能でかつ横方向から人が侵入できないゲートインスペース２２を設けている。このゲートインスペース２２は、進入通路２１内で、入口専用ドア１０から、距離Ｌ２を隔てて設置されるオートロック解錠装置２４までの領域となるが、少なくとも同伴者６０が複数人（通常、２〜３名程度）が立てる広さに形成されているものが好ましい。例えば、幅Ｗ１：９０ｃｍ〜１．２ｍ程度、長さＬ２：１ｍ〜２ｍ程度とする。もっとも、ゲートインスペース２２により多くの人数をプールしたいという要請が強い場合は、図４に示すように、ゲートインスペース２２の幅Ｗ２を、進入通路２１の入口の幅Ｗ１（後述する操作スペース２６の幅に相当）よりも広幅（Ｗ２）に形成してもよい。
【００１２】
オートロック解錠装置２４の構成は特に限定されない。例えば、テンキー等により暗号を手で入力してオートロックを解錠する方式のほか、住戸等のキー（カードを含む。）をかざすことによりオートロックが解錠される非接触型キーリーダーシステム、バイオメトリクス認証システム等を使用することができる。
オートロック解錠装置２４には、カメラ付きインターホン２５が併設されているのが好ましい。この場合、オートロック解錠装置２４はカメラ付きインターホン２５と合体した装置として構成してもよいし、オートロック解錠装置２４から独立したカメラ付きインターホン２５を隣接させて設けてもよい。カメラ付きインターホン２５は各住戸及び管理室への呼出し通話機能を備え、双方向の通信を行う。
【００１３】
また、進入通路２１は、上記のゲートインスペース２２とその手前に位置する操作スペース２６とによって形成されている。すなわち、オートロック解錠装置２４と進入通路２１の入口との間に、オートロック解錠装置２４を操作するキーマスター（キー所持者）５０が立てる広さの操作スペース２６が形成されている。操作スペース２６は、キーマスター（キー所持者）５０一人が立てる広さが好ましく、例えば、幅Ｗ１：９０ｃｍ〜１．２ｍ程度、長さＬ３：４０〜６０ｃｍ程度とする。
上記のとおり、オートロック解錠装置２４と進入通路２１の入口との間に操作スペース２６が形成されているため、両側に仕切り２０，２０のある進入通路２１内の操作スペース２６にキーマスター５０が立つことにより、キーマスター５０が進入通路２１の入口（開口）の壁として作用するので、後から割り込む行動を防ぐことができる。
【００１４】
本発明においては、進入通路２１にいるキーマスター５０の後ろに追従して進入通路へ人が入るのを防ぐ追従防止手段を付加的に備えるのが望ましい。追従防止手段は、例えば、電気的に作動する警報発生手段や、扉等の部材の開閉等の機械的な動作を備えた追従を阻止する機械的動作手段が挙げられる。これらを両方用いることもできる。
電気的に作動する警報発生手段を用いる構成例としては、好ましくは、進入通路２１の入口に設けたセンサー２８と、警報発生手段（図示省略）とを備えてなり、センサー２８は、キーマスター５０がオートロック解錠装置２４を操作開始した後に作動し、警報発生手段は、キーマスター５０がオートロック解錠装置２４を操作開始した後、入口専用ドア１０を通過する前に、センサー２８が進入通路２１へ入る追従者を感知した際に警報を発する構成により、追従行為を確実に排除することができる。
警報発生手段としては、警報音（アラーム）発生手段や警報表示手段が挙げられる（両手段を併用することもできる。）。警報表示手段は、進入通路の入口付近で、進入通路への進入が可能か否かを視覚的に知らせる手段であり、例えば、仕切り２０の入口側の端面等の見やすい位置に、○や×等の進入可否を示す表示部を備えることにより構成することができる。
また、警報発生手段に加えて、警報発生に関する情報をネットワークを介して管理室や警備会社のコンピュータに送信する手段と、該コンピュータにおいて警報を出力する手段を備える構成を採用することができる。
機械的動作を備えた追従防止手段としては、例えば、操作スペース２６でキーマスター５０がオートロック解錠装置２４を操作開始後、進入通路２１の入口に設けた通常時開状態である扉（フラップ：図示省略）が自動的に閉じ、進入通路２１内にキーマスター５０及び同伴者６０がいる間は扉を閉じた状態を維持し、キーマスター５０及び同伴者６０が入口専用ドア１０を通過すると扉が開くといった構成が考えられる。
【００１５】
出口専用ドア３０を出た側の両側にも仕切り４０，４０が設けられており、これにより出口専用ドア３０から出た人の動線を制限する退出通路４１が形成される。この退出通路４１は、出口専用ドアに連設されて出口専用通路となるので、これを逆行して退出通路４１の出口から進入して、出口専用ドア３０から内部へ侵入しようとする行動を防止することができる。退出通路４１は、例えば、幅Ｗ１：９０ｃｍ〜１．２ｍ程度、長さＬ２は、１ｍ〜２ｍ程度とする。出口専用ドア３０を出る場合、出口専用ドア３０は、通常のドアセンサーが内部側に設けられているため、内部側から退出しようとする人のみを感知して開き、退出通路４１側に立っても出口専用ドア３０は開かない。
【００１６】
次に、図２，３を参照して上記実施例の使われ方について説明する。
図２は、入居者を含む人が通過する場合を示すもので、（ａ）は入居者が１名の場合、（ｂ）は入居者のほかに同伴者がいる場合を示す。図３は来訪者が通過する場合を示すもので、（ａ）は来訪者が１名の場合、（ｂ）は来訪者が複数人の場合を示す。
【００１７】
入居者が１名の場合は、図２（ａ）に示すように、キーマスターである入居者５１が先ず、進入通路２１の入口から操作スペース２６に入り、操作スペース２６にてオートロック解錠装置２４を操作する。これにより、オートロックが解錠され、入口専用ドア１０が開き、キーマスターである入居者５１は入口専用ドア１０を通過する。
キーマスターである入居者５１が同伴者６１を伴う場合（親と子というように入居者グループで構成される場合と、キーマスターである入居者５１が来訪者である同伴者６１を伴う場合とがある。）は、図２（ｂ）に示すように、先ずキーマスターである入居者５１に先行して同伴者６１が進入通路２１内の操作スペース２６を経てゲートインスペース２２に入る。続いて、キーマスターである入居者５１が、操作スペース２６に入り、操作スペース２６にてオートロック解錠装置２４を操作する。これにより、オートロックが解錠され、入口専用ドア１０が開くので、同伴者６１及びキーマスターである入居者５１は入口専用ドア１０を通過する。
【００１８】
来訪者が１名の場合、図３（ａ）に示すように、来訪者６５は、進入通路２１の入口から操作スペース２６に入り、操作スペース２６にてカメラ付きインターホン２５を操作し、住戸又は管理室を呼出して通話し、オートロックを解錠してもらう。入口専用ドア１０が開き、来訪者６５は入口専用ドア１０を通過する。
来訪者が複数人の場合、図３（ｂ）に示すように、先ずカメラ付きインターホン２５を操作する者以外の者が先行して進入通路２１内の操作スペース２６を経てゲートインスペース２２に入る。続いて、最後尾の来訪者が、操作スペース２６に入り、操作スペース２６にてカメラ付きインターホン２５を操作し、住戸又は管理室を呼出して通話し、オートロックを解錠してもらう。この場合、ゲートインスペース２２内を撮像可能な防犯カメラ７０を設置しておき、住戸又は管理室の側よりカメラ付きインターホン２５からカメラ切替によって、ゲートインスペース２２内を住戸又は管理室のインターホンの画面に映すことができるようにしておくことにより、ゲートインスペース２２内の人を確認してからオートロックを解錠することができ、安全である。
【００１９】
前記した、警報発生手段（警報音発生手段）を用いた追従防止手段の動作例を、図１を参照して説明する。
図１に示すように、キーマスター５０が、進入通路２１の入口から操作スペース２６に入り、操作スペース２６にてオートロック解錠装置２４を操作する。これにより、オートロックが解錠され、入口専用ドア１０が開き、進入通路２１の入口に設けたセンサー２８がオンとなる。この時、キーマスター５０が入口専用ドア１０を通過する前に、後ろから人６７が進入通路２１の入口より進入しようとすると、センサー２８が進入通路２１へ入るその人（追従者）６７を感知し、警報音が発せられる。そして、入口専用ドア１０も閉じ、ロック状態となり、一旦、進入通路２１の入口から出て、再度、進入通路２１に入り直さないと入口専用ドア１０を通過することができない。
なお、上記の動作は、操作スペース２６に立つ者が入居者（キーマスター）である場合と来訪者（キーマスターでない者）である場合（この場合は、操作スペース２６に立つ者がカメラ付きインターホン２５を操作する。）いずれの場合も同様に行うことができる。また、次に述べる実施例２の場合にも適用することができる。
【実施例２】
【００２０】
図５は実施例２のセキュリティシステムを模式的に示す平面図である。この実施例２は、前記実施例１において設けられている入口専用ドア１０と出口専用ドア２０に加えて、来訪者用のドア８０及び進入通路８１を付加的に設けた点が、実施例１と異なっている。
実施例２においては、来訪者用のドア８０が入口専用ドア１０と分けた形で並べて併設されている。入居者（同伴者がいる場合を含む。）は入口専用ドア１０から入り、来訪者８５（入居者を伴わない場合）は来訪者用のドア８０から入るよう、両者の動線が明確に区別されるよう構成されている。このため、来訪者が「なりすまし」によって入口専用ドア１０から入りにくい。来訪者用のドア８０の手前にはカメラ付きインターホン８３が設けられており、来訪者６５は、このカメラ付きインターホン８３を操作して各住戸又は管理室を呼出して通話し、オートロックを解錠してもらわなければ、来訪者用のドア８０を通過することができないようになっている。
【００２１】
また、実施例２においては、進入通路８１については、前記実施例１の入口専用ドアに向かう進入通路２１の場合とほぼ同様の構成を採っている。つまり、来訪者用のドア８０の手前側（進入側）の両側には仕切り８２，８２が設けられている（一方の仕切り８２は入口専用ドア１０の片側の仕切り２０と兼用されている）。来訪者用のドア８０の手前側の両側に仕切り８２，８２を設けて、来訪者用のドア８０へ向かう人の動線を制限する進入通路８１を形成するとともに、該進入通路８１の、来訪者用のドア８０から距離を隔てた手前側にカメラ付きインターホン８３を設けている。
進入通路８１の、来訪者用ドア８０から距離Ｌ２を隔てた手前側には、オートロック解錠装置２４に代え、カメラ付きインターホン８３が設置され、カメラ付きインターホン８３と来訪者用ドア８０との間に、同伴者をプール可能でかつ横方向から人が侵入できないゲートインスペース８４を設けている。符号８５は操作スペースである。オートロック解錠装置２４に代え、カメラ付きインターホン８３が設置される点を除き、その余の構成は、実施例１と同様の形態を採ることが可能である。また、その使われ方は、図３に示して説明した実施例１とほぼ同様の形態を採ることができるので、その説明を省略する。
実施例１では、来訪者用のドアが不要で入居者も来訪者も入口専用ドア１０から内部へ入るため、両者の動線は統合され、エントランスを小型化できる利点があり、比較的小規模の建物に好適である。一方、実施例２では、大人数の通行に対応し易いため、比較的大規模の建物に好適である。
【００２２】
以上、実施例を挙げて本発明の実施の形態を説明したが、本発明は上記した実施例に限定されるものではなく、本発明の要旨の範囲で適宜、付加、変形等なし得るものである。
【図面の簡単な説明】
【００２３】
【図１】実施例１のセキュリティシステムを模式的に示す平面図である。
【図２】実施例１の使われ方を模式的に示す平面図である。
【図３】実施例１の使われ方を模式的に示す平面図である。
【図４】実施例１の変形例を模式的に示す平面図である。
【図５】実施例２のセキュリティシステムを模式的に示す平面図である。
【符号の説明】
【００２４】
１０  入口専用ドア
２０  仕切り
２１  進入通路
２２  ゲートインスペース
２４  オートロック解錠装置
２５  カメラ付きインターホン
２６  操作スペース
２８  センサー
３０  出口専用ドア
４０  仕切り
４１  退出通路
５０  キーマスター（キー所持者）
６０  同伴者
【図１】
2006134256.tif 000003
【図２】
2006134256.tif 000004
【図３】
2006134256.tif 000005
【図４】
2006134256.tif 000006
【図５】
2006134256.tif 000007